(57)【特許請求の範囲】
【請求項１】
プラスチック製の多用途の湯たんぽであって、一端が低く、他端が高い側面形状を有し、かつ、爪先上りの形態となる扁平な湯たんぽ本体を具備し、その湯たんぽ本体の傾斜した上面に、足温器として使用するために、足を乗せる足型形状を有する凹凸から成る表示模様を型成形し、人体背面の腰部の曲面形状に適合した曲面を、湯たんぽ本体の下面側に形成し、湯たんぽ本体の上記下面側には背骨に合わせてゆるく湾曲し、かつ、背骨を受け入れるようへこんだ中央凹部を設け、上記中央凹部の他端の側に指圧突起を複数個左右対称に形成し、湯たんぽ本体上面の高い方の他端の中央部に凹部を形成するとともに、その凹部に収まる注湯口を形成し、さらに、湯たんぽ本体の内部圧力の変化による変形に耐える対変形手段として、湯たんぽ本体において上面及び下面から内方へ突き出し、かつ、湯たんぽ本体内部にて固着し一体となって湯たんぽ本体の扁平な平面形状に対してほぼ直角な方向への変形を防止する柱部を設けるとともに、上記扁平な平面形状における前後左右の側面に、内方へ向かっている凹状の湾曲部を設けたことを特徴とする多用途湯たんぽ。
【請求項２】
湯たんぽ本体は、内部圧力の変化による変形に耐える対変形手段として、平面形状における前後左右の側面に、内方へ向かっている凹状の湾曲部を有している請求項１記載の多用途湯たんぽ。
【請求項３】
足を乗せる場所であることを示す凹凸から成る表示模様、つぼを刺激する指圧突起は、内部圧力の変化による変形に耐える対変形手段の一部を構成している請求項１記載の多用途湯たんぽ。
【請求項４】
湯たんぽ本体は、低い方の一端側に提げ手を有し、その提げ手の内側が内方へ向かってへこんでいる湾曲部になっている請求項１記載の多用途湯たんぽ。
【請求項５】
湯たんぽ本体は、その上面の四隅及び下面の四隅に、内部圧力の変化による変形に耐える対変形手段として、凸部を有している請求項１記載の多用途湯たんぽ。
【発明の詳細な説明】
【技術分野】
【０００１】
本発明は、プラスチック製の多用途の湯たんぽに関するものである。
【背景技術】
【０００２】
本発明者は従来からプラスチック製湯たんぽの製造に携わっており、開発した技術については、随時出願をしてきた。その中において、好評を博したものに、実開昭６２−３６７１０号（登録第１９６１１１９号）がある。この湯たんぽは、立てることができ、陳列時に場所をとらず、排水時にも立てて置くだけで良いなど、顕著な特徴を有する。また、特開２００１−１７００９７号（特許第３２９５４０５号）は、湯たんぽにカバーを付属するという改良を加えたものである。
【０００３】
これらの従来製品は、湯たんぽについて、著しい改良を加えたものである。これに対して、冬季に使用される暖房器具は湯たんぽ以外にも多数あり、その中には湯たんぽと両用可能なものも見られる。両用を実現することができれば、使用する物の数も減らすこともできるので、有用である。
【０００４】
このような観点に立つものに、実用新案登録第３０５５７９２号の保温体がある。しかし同号のものは、多用途に使えるというだけで、各用途における使い易さを工夫したものということはできない。これに対して、特開２００５−１３３５５号の湯たんぽは、暖房用以外の用途にも使用できるようにとの意図の下に、指圧用の突起部を湯たんぽ本体の上面に形成したものである。これは、湯たんぽに足置き用の凹部及び指圧用の突起部を設けたもので、それ以上のものではない。
【０００５】
ところで、湯たんぽは熱湯を注入して使用するものであり、加熱状態にある間は膨張しており、熱湯が次第に冷めるにつれて内部の圧力が低下するので、使用中は膨張と収縮を繰り返すので、非常に厳しい応力変化を伴う。特にプラスチック製湯たんぽの場合には、膨張収縮に如何にして耐えるかが、製造上のキーポイントになり、このため、メーカーはその条件の把握に神経を集中することになる。しかし上記発明に記載されている凹凸状補強用リブでは、膨張収縮に耐えられないと判断される。
【０００６】
【特許文献１】実開昭６２−３６７１０号
【特許文献２】特開２００１−１７００９７号
【特許文献３】特開２００５−０１３３５５号
【特許文献４】実用新案登録第３０５５７９２号
【発明の開示】
【発明が解決しようとする課題】
【０００７】
本発明は以上の点に着目して成されたもので、その課題は、湯たんぽを足温器などと両用可能である上に、実用に耐える多用途湯たんぽを提供することである。また、本発明の他の課題は、足温器及び指圧器としても使用できる、多用途湯たんぽを提供することである。
【課題を解決するための手段】
【０００８】
前記の課題を解決するため本発明は、プラスチック製の多用途の湯たんぽとして、一端が低く、他端が高い側面形状を有し、かつ、爪先上りの形態となる扁平な湯たんぽ本体を具備し、その湯たんぽ本体の傾斜した上面に、足温器として使用するために、足を乗せる足型形状を有する凹凸から成る表示模様を型成形し、人体背面の腰部の曲面形状に適合した曲面を、湯たんぽ本体の下面側に形成し、湯たんぽ本体の上記下面側には背骨に合わせてゆるく湾曲し、かつ、背骨を受け入れるようへこんだ中央凹部を設け、上記中央凹部の他端の側に指圧突起を複数個左右対称に形成し、湯たんぽ本体上面の高い方の他端の中央部に凹部を形成するとともに、その凹部に収まる注湯口を形成し、さらに、湯たんぽ本体の内部圧力の変化による変形に耐える対変形手段として、湯たんぽ本体において上面及び下面から内方へ突き出し、かつ、湯たんぽ本体内部にて固着し一体となって湯たんぽ本体の扁平な平面形状に対してほぼ直角な方向への変形を防止する柱部を設けるとともに、上記扁平な平面形状における前後左右の側面に、内方へ向かっている凹状の湾曲部を設けるという手段を講じたものである。
【０００９】
本発明が対象とするものは、プラスチック製の湯たんぽであり、その素材や、製造方法は従来のものと同様で良い。一般的に従来のプラスチック製湯たんぽは、熱可塑性のプラスチック成形材料を用いて、ブロー成形法等の成形手段により製造される。湯たんぽであるから、中空構造を有しており、かつ、その内部に湯を注入する注湯口が必要である。
【００１０】
本発明に係る湯たんぽは、一端で低く、他端で高い側面形状を有する湯たんぽ本体を具備している。一端から他端に高低差を与えたのは、湯たんぽ本体の上面に傾斜をつけるためであり、これにより、爪先上がりの形態となるので、足温器として使用するのに適したものとなる。また、本発明に係る湯たんぽの上面に下肢を乗せると、ふくらはぎの筋肉が緊張するので、ストレッチのためにも好適である。
【００１１】
この湯たんぽ本体の傾斜した上面に、足温器として使用するために、足を乗せる場所であることを示す凹凸から成る表示模様を型成形する。表示模様は、例えば左右対称に配置した足の平面形状である。しかし、足の平面形状は、足置き場所であることを知らせることができれば良いので、大きさや外形は任意で良い。表示模様の凹凸は、足型が凹んでいるもの、凹んでいる上に指圧突起にもなる凹凸があるものなど、自由にデザインすることができる。すなわち、湯たんぽ本体の足を載せる場所にも、指圧突起を設けることができるものとする。
【００１２】
湯たんぽ本体は、下面側を、人体背面の腰部に適合した曲面に形成することができる。この下面側曲面は、ランバーサポート機能を発揮するとともに、湯たんぽ本体に避けられない膨張収縮を呼び込み、上面に変形を及ぼさないための対策という側面を有する。また、湯たんぽ本体の下面における他端部側の高い方の中央寄りには、指圧突起を複数個形成することができる。かくして、湯たんぽ本体の下面には、指圧器として使用するのに適した形状が備わる。
【００１３】
湯たんぽ本体の、高い方の他端部には、凹部を形成するとともに、その凹部に収まる注湯口を形成する。凹部は、注湯口を配置し、かつ、そこをキャップで閉じた使用状態において、キャップが湯たんぽ本体に埋没するか、或いは、出ても湯たんぽ本体の上面から余り突き出ないようにする。凹部は、内方へ向かっている凹湾曲形状を形成していることが望ましい。
【００１４】
さらに、湯たんぽ本体において上面及び下面から内方へ突き出し、かつ、湯たんぽ本体内部にて固着し一体となって変形を防止する柱部を設ける。この柱部は、湯たんぽ本体の内部において柱を形成しているもので、湯たんぽ本体の外部には、へこみとして現れる。このへこみは、本発明に係る多用途湯たんぽを成形するときに、成形型によって所定の厚みに加圧することにより成形されるので、ブロー成形による場合にも、パリソンを内部にて固着し一体にすることができる。固着し一体となっている柱であるから、湯たんぽ本体に偏肉が生じていて、膨張収縮が、左右または前後において不均等になる場合にも、それによって発生する応力に耐え、湯たんぽ本体の変形を抑制する。
【００１５】
本発明に係る湯たんぽ本体は、内部圧力の変化による変形に耐える対変形手段として、平面形状における前後左右の側面に、内方へ向かっている凹状の湾曲部を有している。対変形手段の他のものは、足を乗せる場所であることを示す凹凸から成る表示模様、つぼを刺激する指圧突起である。
【００１６】
また、湯たんぽ本体は、提げ手を有していることが望ましいが、本発明では、低い方の一端側に提げ手を設け、その提げ手の内側が内方へ向かってへこんでいる湾曲部を、内部圧力の変化による変形に耐える対変形手段に利用する。さらに、湯たんぽ本体の上面の四隅及び下面の四隅に、内部圧力の低下による変形に耐える対変形手段として、凸部を設けることができる。そして、湯たんぽ本体の、高い方の他端部の端には、端部外方へ向いた小突部を設けると、これを支点として立つ機能が備わることになる。
【発明の効果】
【００１７】
本発明は上記のように構成されかつ作用するものであるから、湯たんぽを足温器及び指圧器と両用可能であり、さらに、湯たんぽ本体内部にて固着し一体となって変形を防止する柱部を初めとする対変形手段により、湯たんぽの耐久性を高め、実用に耐える多用途湯たんぽを提供することができる。また、本発明のものは、湯たんぽ、足温器及び指圧器として使用することができるので、例えば、勉強中に足温器として使用し、疲れたり眠くなったりしたときには指圧し、さらに、就寝時には、湯を入れ替えなくても適温の湯たんぽとして使用することができる。
【発明を実施するための最良の形態】
【００１８】
以下図示の実施形態を参照して、本発明に係る多用途湯たんぽについて、より詳細に説明する。図１Ａ、Ｂは、本発明に係る多用途湯たんぽ１０の一例の正面及び背面を示しており、一端で低く、他端で高い側面形状を有する湯たんぽ本体１１を具備している。一端から他端に至る高低差により、湯たんぽ本体１１の上面には傾斜が付き、両足をのせると爪先上がりの形態となる。
【００１９】
湯たんぽ本体１１の傾斜した上面には、足温器として使用するために、左右対称に配置した足の平面形状を有し、足を乗せる場所であることを示す凹みから成る表示模様１２、１３を型成形する。表示模様１２、１３は、足置き場所であることを知らせる任意の大きさと外形を有し、足型が凹んでいる。表示模様１２、１３の凹んでいる部分には、小凹凸が指圧突起１４として設けられている。
【００２０】
湯たんぽ本体１１は、下面側を、人体背面の腰部に適合した曲面１５に形成している。この下面側曲面１５にランバーサポート機能を付与するために、背骨に合わせて前後にゆるく湾曲し（図１Ｂ、図３、図４参照）、かつ、背骨を受け入れる中央凹部１６を設けるとともに、湯たんぽ本体１１の成形上避けられない膨張収縮を呼び込むように形成されている。また、湯たんぽ本体１１の下面における他端部側の高い方の中央寄りには、指圧突起１７、１８を左右対称に２箇所設けている。このような、下面側曲面１５、中央凹部１６、指圧突起１７、１８は、湯たんぽ１０を指圧器として使用するのに適した形状を与える。
【００２１】
湯たんぽ本体１１の、高い方の他端部には、凹部１９を形成するとともに、その凹部１９に収まる注湯口２１を形成する。凹部１９には、注湯口２１を配置し、かつ、そこをキャップ２０で閉じた使用状態において、キャップ２０が湯たんぽ本体１１にほぼ埋没して余り突き出ないようにする。この凹部１９は、内方へ向かっている凹湾曲形状２２を形成している。
【００２２】
湯たんぽ本体１１には、上面及び下面から内方へ突き出し、かつ、湯たんぽ本体内部にて固着し一体となって変形を防止する柱部２５を設ける。この柱部２５は、湯たんぽ本体１１の内部において強固な柱状支持構造を形成しているもので、湯たんぽ本体１１の外部には、へこみ２３、２４として現れる。このへこみ２３、２４は、本発明に係る多用途湯たんぽ１０を、ブロー成形法を用いて成形するときにも、成形型によってパリソンが加圧され、所定の厚みの板状部２６として成形されるので、内部にて固着し一体になっている。固着し一体の柱となっている柱部２５は、膨張収縮が、左右または前後において不均等になる場合にも、それによって発生する応力に耐え、湯たんぽ本体１１の変形を抑制す
る。
【００２３】
湯たんぽ本体１１は、内部圧力の変化による変形に耐える対変形手段一つとして、平面形状における前後左右の側面に、内方へ向かっている凹状の湾曲部２７−１、２７−２、２７−３、２７−４を有している。これらの湾曲は、側面が直線状の場合よりも構造強度が増すように立体化したもので、前側の湾曲部２７−１は、一端側に設けた提げ手２８の内側を内方へ向かってへこませたものである。足を乗せる場所であることを示す凹凸から成る表示模様１２、１３、つぼを刺激する指圧突起１７、１８は、対変形手段の一つである。
【００２４】
また、湯たんぽ本体１１の上面の四隅及び下面の四隅に、内部圧力の低下による変形に耐える対変形手段として、凸部２９ａ、２９ｂ、２９ｃ、２９ｄ、２９ｅ、２９ｆ、２９ｇ、２９ｈ、を設けている。また、湯たんぽ本体１１の、高い方の他端部の端には、端部外方へ向いた小突部３１を２〜４個設け、これを立つ機能が備わる湯たんぽ１０の支点とする。
【００２５】
このような構成を有する本発明の湯たんぽ１０は、注湯口２１を開けて、湯を十分に注入し、湯たんぽとして使用することができる。そして、図５Ａに示すように床に置き、椅子に座って、足を上面に載せることにより、足温器として使用することができる。さらに、図５に示すように、この湯たんぽ１０の上で下肢を立てるようにして、力を加えることで、脚部のストレッチが行なえる。また、椅子に座った際に、図６に示すように背中と背もたれとの間に本発明の湯たんぽ１０を配置することにより、腰を湯たんぽ本体１１の下面の曲面１５と中央凹部１６で自然に支えて安定させ、腰の負担を少なくし、かつ、指圧突起１７、１８、により指圧を行なうことができる。
【００２６】
本発明の多用途湯たんぽ１０は、湯たんぽ本体１１のほぼ中央部に凹み２３、２４から成る柱部２５を有しており、上面に表示模様１２、１３と、凹部１９を有し、下面に曲面１５、中央凹部１６を有し、湯たんぽ本体１１の前後左右に湾曲部２７−１、２７−２、２７−３、２７−４を有しているので、湯たんぽ本体１１の膨張収縮に伴う応力に、ほぼ完全に耐えることができる。特に、中央部の凹み２３、２４から成る柱部２５は、湯たんぽ本体１１に偏肉が生じていて、膨張収縮が、左右または前後において不均等になる場合にも、それによって発生する応力に耐え、湯たんぽ本体１１の変形を抑制することができる。
【図面の簡単な説明】
【００２７】
【図１】本発明に係る多用途湯たんぽの一例を示すもので、Ａ、Ｂはそれぞれ正面及び背面から見た斜視図である。
【図２】図１のものの上面図である。
【図３】同じく図１のものの他端側における端面図である。
【図４】同じく図１のものの中央部縦断面図。
【図５】本発明に係る多用途湯たんぽの使用方法を示すもので、Ａは足温器として、Ｂはストレッチ用具として、夫々使用する例を示す説明図。
【図６】同じく他の使用方法である腰部の指圧器としての使用例を示す説明図。
【符号の説明】
【００２８】
１０  多用途湯たんぽ
１１  湯たんぽ本体
１２、１３  表示模様
１４、１７、１８  指圧突起
１５  曲面
１６  中央凹部
１９  凹部
２０  キャップ
２１  注湯口
２２  凹湾曲形状
２３、２４  へこみ
２５  柱部
２６  板状部
２７−１、２７−２、２７−３、２７−４  湾曲部
２８  提げて
２９ａ〜２９ｈ  凸部
３１  小突部
【図１】
0004769106.tif 000002
【図２】
0004769106.tif 000003
【図３】
0004769106.tif 000004
【図４】
0004769106.tif 000005
【図５】
0004769106.tif 000006
【図６】
0004769106.tif 000007